(57)【要約】【課題】上吊り引戸において、上部ケースをコンパクト化できると共に、下チリ調整を容易に行うことができる制動機構の取付構造を提供する。【解決手段】上吊り引戸の制動機構は、扉体１を吊持するハンガーレール５の長さ方向に沿って配置された制動ラック８と、扉体１に設けられ、制動ラック８に噛合するギア７０を備えた制動装置７と、からなる。制動装置は扉体１の上方で水平姿勢で配置されており、制動ラック８は水平姿勢のギア７０と噛合するように配置されている。制動装置は、扉体１の上面１０とハンガーレール５の下面との間に位置するように扉体１の上面に取り付けられる。【選択図】図４
2011074670.tif 000002
【特許請求の範囲】
【請求項１】
上吊り引戸の制動機構の取付構造において、
前記制動機構は、扉体を吊持するハンガーレールの長さ方向に沿って配置された制動ラックと、前記扉体に設けられ、前記制動ラックに噛合するギアを備えた制動装置と、からなり、
前記制動装置は前記扉体の上方で水平姿勢で配置されており、前記制動ラックは水平姿勢のギアと噛合するように配置されている、
上吊り引戸の制動機構の取付構造。
【請求項２】
前記制動装置は、前記扉体の上面と前記ハンガーレールの下面との間に位置するように前記扉体の上面に取り付けられる、請求項１に記載の上吊り引戸の制動機構の取付構造。
【請求項３】
前記ハンガーレールは、下面に開口が形成された箱形状を備えており、前記ハンガーレールは、当該ハンガーレールの長さ方向に間隔を存して設けた複数のハンガーレール受け部材によって躯体に取り付けられており、
前記制動ラックは、前記ハンガーレール受け部材あるいは前記ハンガーレールから垂下するプレート状のラックケースの下端に取り付けられている、
請求項２に記載の上吊り引戸の制動機構の取付構造。
【発明の詳細な説明】
【技術分野】
【０００１】
本発明は、上吊り引戸の制動機構の取付構造に関するものである。
【背景技術】
【０００２】
図６は、従来の上吊り引戸の吊持機構及び制動機構を示す縦断面図である。引戸の扉体１´の上方には、ハンガーレール５´がハンガーレール受け部材５Ａ´によって支持されている。扉体１´は、その上面に設けた吊車６´がハンガーレール５´に沿って転動することで左右方向に移動するようになっている。ハンガーレール５´は、下面に開口を備えた箱状の部材からなり、ハンガーレール５´の側面には制動ラック８´を取り付けるためのラックケース８０´が持ち出し状に固定されている。ラックケース８０´の先端には、制動ラック８´が下方に臨むように装着されている。一方、扉体１´の上面から制動装置７´を支持するための支持プレートが持ち出し状に固定されており、支持プレートの立ち上がり片に制動装置７´の制動手段７１´のケーシングが縦姿勢で固定されている。制動手段７１´には制動装置７´のギア７０´が縦姿勢で連結されており、ギア７０´は制動ラック８´と噛合している。引戸装置の上回り部分の機構、すなわち、吊車６´、ハンガーレール５´、制動装置７´、制動ラック８´、ラックケース８０´は、上部ケース９´内に納められている。
【０００３】
このように従来の制動機構の取付方法では、制動装置７´、すなわち、ギア７０´及び制動手段７１´が縦置き状となっていた。また、特許文献１は、制動装置及び制動ラックを備えた引戸に係るものであるが、特許文献１にも、垂直方向に配向された縦姿勢のピニオン（ギア）が開示されている。
【０００４】
しかしながら、特に、図６のように、扉体１´の厚さ方向（見込み方向）に吊車６´を並設するものでは、ハンガーレール５´が箱状の部材から形成されており、制動装置７´、及び、制動ラック８´を、ハンガーレール５´の側面から持ち出し状に取り付けていたため、引戸の上回り部分を覆う上部ケース９´のサイズ（出幅）が大きくなってしまうという不具合があった。
【０００５】
また、縦姿勢のギア７０´が制動ラック８´に噛合する従来の取付方法では、扉体１´の高さを調整して下チリ（扉体１´の下面と床面との隙間）を調整する際に、制動装置７´のギア７０´と制動ラック８´の噛み合わせが影響を受けることから、下チリの調整範囲も小さくなってしまい、また、下チリ調整と噛み合せ調整を同時に行う必要があるため、調整作業が困難であると共に手間を要していた。
【先行技術文献】
【特許文献】
【０００６】
【特許文献１】特開２００５−３２０８５８
【発明の開示】
【発明が解決しようとする課題】
【０００７】
本発明の目的は、上吊り引戸において、上部ケースをコンパクト化できると共に、下チリ調整を容易に行うことができる制動機構の取付構造を提供することにある。
【課題を解決するための手段】
【０００８】
本発明が採用した技術手段は、
上吊り引戸の制動機構の取付構造において、
前記制動機構は、扉体を吊持するハンガーレールの長さ方向に沿って配置された制動ラックと、前記扉体に設けられ、前記制動ラックに噛合するギアを備えた制動装置と、からなり、
前記制動装置は前記扉体の上方で水平姿勢で配置されており、前記制動ラックは水平姿勢のギアと噛合するように配置されていることを特徴としている。
【０００９】
１つの態様では、前記制動装置は、前記扉体の上面と前記ハンガーレールの下面との間に位置するように前記扉体の上面に取り付けられる。
１つの態様では、前記制動装置を、前記扉体の上面から上方に延びる支持軸を介してハンガーレールの上方に位置させて水平姿勢で取り付けてもよい。
【００１０】
１つの態様では、前記ハンガーレールは、下面に開口が形成された箱形状を備えており、前記ハンガーレールは、当該ハンガーレールの長さ方向に間隔を存して設けた複数のハンガーレール受け部材によって躯体に取り付けられており、
前記制動ラックは、前記ハンガーレール受け部材あるいは前記ハンガーレールから垂下するプレート状のラックケースの下端に取り付けられている。
【００１１】
制動装置は、扉体の上面の上方で水平姿勢で配置した時に、ハンガーレールの幅から大きくはみ出ることがないような寸法となっている。
引戸の上回り部分の機構、すなわち、吊車、ハンガーレール、制動装置、制動ラックは、上部ケース内に納められている。
扉体は、下チリ調整のため、当該扉体の高さ位置が調整可能となっている。扉体の高さ位置の調整手段は、後述の実施形態のものに限定されない。
【発明の効果】
【００１２】
本発明では、水平姿勢で配置された制動装置はハンガーレール幅から大きくはみ出ないため、引戸装置の上回り部分を覆う上部ケースのサイズが必要以上に大きくなるようなことがない。したがって、上部ケースをコンパクトに納めることが可能であり、上部ケースの意匠性も向上する。
【００１３】
本発明では、制動装置のギアが水平姿勢で配置されるので、扉体の高さ調整（下チリ調整）を、ギアの厚み（上下方向の寸法）内で、ギアと制動ラックの噛み合いに影響を与えることなく行なうことができる。したがって、下チリ調整と噛み合せ調整を同時に行う必要がなく、下チリ調整を容易に行うことができ、調整作業の時間を短縮することができ施工性が向上する。
【図面の簡単な説明】
【００１４】
【図１】本発明に係る上吊り引戸の制動機構の取付構造を備えた引戸装置の縦断面図である。
【図２】本発明に係る上吊り引戸の制動機構の取付構造を備えた引戸装置の正面図であり、扉体は開放姿勢にある。
【図３】本発明に係る上吊り引戸の制動機構の取付構造を備えた引戸装置の正面図であり、扉体は閉鎖姿勢にある。
【図４】本発明に係る上吊り引戸の上回り部分の機構を示す図である。
【図５】ハンガーローラアセンブリを示す図である。
【図６】従来の上吊り引戸の制動機構の取付構造を示す図である。
【発明を実施するための形態】
【００１５】
本発明の実施形態を図面に基づいて詳細に説明する。図１は、扉体１を備えた引戸装置の縦断面図、図２は扉体１が開放姿勢にある引戸装置の全体図、図３は扉体１が閉鎖姿勢にある引戸装置の全体図である。扉体１は一方の竪枠２を戸先側、他方の竪枠３を戸尻側として、竪枠２、３間で左右方向に移動自在となっている。竪枠２、３間の空間の竪枠３側の半部には袖壁４が設けてあり、竪枠２と袖壁４の端部との間の空間が通行用の開口部となっている。扉体１が開放姿勢にある時には、図２に示すように、扉体１は袖壁４に沿って収納された状態となる。扉体１が閉鎖姿勢にある時には、図３に示すように、扉体１の戸先側端部が竪枠２に当接し、扉体１の戸尻側部位が袖壁４に重なった状態となる。
【００１６】
左右の竪枠２、３間の空間の上方には、ハンガーレールアセンブリが設けてある。ハンガーレールアセンブリは、左右の竪枠２、３の上端間に亘って扉体１の移動方向に延設されたハンガーレール５と、ハンガーレール５を支持するハンガーレール受け部材５Ａと、からなる。図２、図３に示すように、ハンガーレール受け部材５Ａは、ハンガーレール５の長さ方向に亘って間隔を存して複数設けられており、各ハンガーレール受け部材５Ａは、左右の竪枠２、３間の空間の上方の側壁（躯体）Ｗに直接あるいは他の部材を介して固定される。
【００１７】
扉体１の上面１０には扉体１の幅方向に間隔を存して２つのハンガーローラアセンブリが設けてある。各ハンガーローラアセンブリは、扉体１の幅方向及び厚さ方向に２個ずつ配置された４つの吊車６（２組の平行２輪状の吊車６）と、４つの吊車６を回転自在に支持する支持部６０と、支持部６０と扉体１の上面１０とを連結する軸部６１と、からなる。支持部６０には軸部６１を上方から受け入れて下方に挿通させる筒状部６００が形成されている。
【００１８】
図５に示すように、ハンガーローラアセンブリの軸部６１は、支持部６０の筒状部６００内に回転可能に受け入れられている上側部位６１０と、支持部６０の下方で扉体１の上面１０に固定したプレート１００にまで延びる下側部位６１１と、からなる。軸部６１（上側部位６１０）の上端には、軸部６１よりも若干大径の頭部６１２が形成されており、軸部６１は、支持部６０の筒状部６００に受け入れられた状態で、頭部６１２が筒状部６００の上端に係止することで、垂下状に下方に延出することになる。軸部６１の下側部位６１１の周面には雄螺子が形成されており、扉体１の上面１０に固定したプレート１００には雌螺子が形成されている。軸部６１は、下側部位６１１の雄螺子を介して固定プレート１００の雌螺子に螺合されている。図示の態様では、下側部位６１１は固定プレート１００を越えて、扉体１の上面内にまで延びている。軸部６１の下側部位６１１の下端側は扉体１の上面１０に固定したプレート１００に連結されているが、軸部６１は、ナット６２を締めた状態では固定プレート１００に対する回転が規制され、ナット６２を緩めると固定プレート１００に対する回転が許容されるようになっている。ナット６２を緩めて軸部６１を回転させることで、下側部位６１１の雌螺子が固定プレート１００雄螺子に対して回転し、固定プレート１００及び扉体１に対して軸部６１が上下動可能となっている。したがって、ナット６２を緩めて軸部６１を回転させて上下動させることで、扉体１の高さ調整（下チリ調整）が可能である。
【００１９】
扉体１は上面１０に設けたハンガーローラアセンブリを介してハンガーレール５から吊持されており、ハンガーローラアセンブリの吊車６がハンガーレール５上を転動することで、扉体１は左右方向に移動自在となっている。床面ＦＬには扉体１の下面１１を案内するガイドローラ１２が設けてある。図示の態様では片引きの引戸装置であるが、引戸装置は引き分け式であってもよい。
【００２０】
ハンガーローラアセンブリの構成について以下に詳細に説明する。図４に示すように、ハンガーレール５は、対向状の側辺５０、５１と、側辺５０、５１の上端同士を連結する上辺５２と、側辺５０、５１の下端から互いに接近するように延出する下辺５３、５４とからなり、これらの辺５０、５１、５２、５３、５４はハンガーレール５の長さ方向、すなわち、扉体１の移動方向に延出している。下辺５３、５４の側縁が斜めに立ち上がっており、下辺５３、５４の上面を吊車６が転動するようになっている。下辺５３、５４間の開口５５はハンガーレール５の長さ方向に延びており、開口５５を通ってハンガーローラアセンブリの軸部が左右方向に移動するようになっている。このように、ハンガーレール５は、下面に開口５５を備えた箱状の部材である。
【００２１】
ハンガーレール５を支持するハンガーレール受け部材５Ａは、側壁Ｗに固定される第１部材と、第１部材に対して取り付けられた第２部材と、からなる。第１部材は、垂直片５００と、垂直片５００の下端の下側水平片５０１と、からなる。第２部材は、第１部材の垂直片５００の上方部位に掛止・当接する第１垂直片５０２と、第１垂直片５０２の下端の上側水平片５０３と、上側水平片５０３から垂下する第２垂直片５０４と、第２垂直片５０４の下端の下側水平片５０５と、からなる。ハンガーレール５の側辺５０は、第１部材の垂直片５００の内面に当接しており、ハンガーレール５の下辺５３は、第１部材の下側水平片５０１に支承されている。ハンガーレール５の側辺５１は、第２部材の第２垂直片５０４の内面に当接しており、ハンガーレール５の下辺５４は、第２部材の下側水平片５０５に支承されている。
【００２２】
ハンガーレール５は、竪枠３から竪枠２に向かって、すなわち、扉体１の閉鎖方向に下向きに傾斜している。引戸装置は手動式であって、開放時には扉体１を手動で開放し、閉鎖時には閉鎖方向に下向き傾斜状に延出するハンガーレール５に沿って扉体１が自重で閉鎖方向に移動する。以下に述べる制動機構は、傾斜状のハンガーレール５に用いるものとして説明するが、水平状のハンガーレールを手動で開放・閉鎖するものに適用してもよい。また、制動機構と扉体を自動で閉鎖方向に移動させる自閉装置とを兼用してもよい。
【００２３】
引戸装置は、扉体１の閉鎖時の移動速度を減速させる制動機構を備えている。制動機構は、可動部、すなわち扉体１側に設けた制動装置７と、扉体１の上方の固定部側に設けた制動ラック８と、からなる。
【００２４】
扉体１側に設けた制動装置７は、制動ラック８に噛合するギア７０と、扉体１の閉鎖方向への移動時において、制動ラック８に案内されて回転するギア７０の回転速度を減速させる制動手段７１と、からなる。制動装置７及び制動ラック８は、扉体１の閉鎖方向への移動時において、扉体１が、傾斜状のハンガーレール５に沿ってある程度閉鎖方向に移動した時に、制動装置７のギア７０が制動ラック８に噛合し、扉体１のさらなる閉鎖方向への移動にしたがって制動ラック８上を回転しながら移動するギア７０の回転速度を減速させながら、扉体１が自動的かつ緩やかに閉鎖するような位置に設けられる。
【００２５】
制動手段７１は、流体摩擦抵抗を用いて回転するギアの制動を行なうものであり、１つの態様では、制動手段７１は、オイルの粘性抵抗を用いたオイルダンパからなる。扉体１の開放方向への移動時には、制動手段７１は制動ラック８上を回転しながら移動するギア７０に作用しないように構成されている。例えば、ギア７０の回転軸を、ワンウェイクラッチを介して制動手段７１と連繋させることで、扉体１の開放時にはギア７０が制動ラック８に案内されて自由に回転し、扉体１の閉鎖時には制動手段７１が作用してギア７０の回転が減速することが当業者に理解される（特許文献１参照）。
【００２６】
引戸装置の上部機構、すなわち、ハンガーレールアセンブリ、ハンガーローラアセンブリ、制動機構は、上部ケース９に内装されている。図４に示すように、上部ケース９は、対向状の側面９０、９１と、上面９２と、からなり、一方の側面９０は側壁（躯体）Ｗに固定される。他方の側面９１は、点検カバーとなっており、側面９１の上端は上面９２に対して回動可能に係止されている。側面９０の内側には側枠９３が設けてあり、側枠９３にはハンガーレール受け部材５Ａの取付用プレート９４が固定されている。ハンガーレール受け部材５Ａの第１部材の垂直片５００が取付用プレート９４に固定されている。
【００２７】
制動装置７の制動手段７１のケーシングは扉体１の上面１０に水平姿勢で取り付けられている。制動装置７のギア７０も、制動手段７１のケーシングの上面に位置して水平姿勢となっている。図４に示すように、制動装置７は、扉体１の上面１０とハンガーレール５の下面（下辺５３、５４）との間に配置されている。制動手段７１のケーシングは長手方向と短手方向を備え、長手方向を扉体１の幅方向に、短手方向を扉体１の厚さ方向（見込方向）に合わせて扉体１の上面１０に取り付けられている。制動装置７の幅、すなわち、ギア７０の直径、制動手段７１のケーシングの短手方向の寸法は、ハンガーレール５の幅寸法（見込方向の寸法）と略同じであり、ハンガーレール５の幅から大きくはみ出ることがない。したがって、引戸装置の上回り部分を覆う上部ケース９のサイズが必要以上に大きくなるようなことがなく、上部ケースをコンパクトに納めることが可能であり、上部ケースの意匠性も向上する。
【００２８】
固定部側に設けた制動ラック８は、ハンガーレール５の長さ方向、すなわち、扉体１の移動方向に延びており、ラックケース８０に支持されている。制動ラック８が設けられる固定部は、１つの態様では、ハンガーレールアセンブリであり、図２、図３に示すように、２つのハンガーレール受け部材５Ａ間を架け渡すようにラックケース８０が設けられている。
【００２９】
ラックケース８０は、ハンガーレール受け部材５Ａの第２部材の第２垂直片５０４に対して垂下状に固定されたプレート部と、プレート部の下端側の側面に形成した装着部と、からなり、装着部には制動ラック８の基端側が収納・固定されている。制動ラック８は、装着部の開口から水平状に突出している。ラックケース８０は、プレート状であると共に、ハンガーレール受け部材５Ａの第２部材の第２垂直片５０４に対して垂下状に延出しているので、ハンガーレール５の幅から大きくはみ出ることがない。
【００３０】
本実施形態では、制動装置７のギア７０が水平姿勢で配置されるので、扉体１の高さ調整（下チリ調整）を、ギア７０の厚み（上下方向の寸法）内で、ギア７０と制動ラック８の噛み合いに影響を与えることなく行なうことができる。したがって、下チリ調整と噛み合せ調整を同時に行う必要がなく、下チリ調整を容易に行うことができ、調整作業の時間を短縮することができ施工性が向上する。
【産業上の利用可能性】
【００３１】
本発明は、上吊り引戸の制動機構の取付構造に用いることができる。
【符号の説明】
【００３２】
１  扉体
５  ハンガーレール
５Ａ  ハンガーレール受け部材
６  吊車
６０  支持部
６１  軸部
７  制動装置
７０  ギア
７１  制動手段
８  制動ラック
８０  制動ラックケース
９  上部ケース
【図１】
2011074670.tif 000003
【図２】
2011074670.tif 000004
【図３】
2011074670.tif 000005
【図４】
2011074670.tif 000006
【図５】
2011074670.tif 000007
【図６】
2011074670.tif 000008